(57)【要約】【課題】  非接触型ＩＣカードを収納したまま使用でき、デザイン上の制約がなく、非接触型ＩＣカードを落とす心配もない財布を提供する。【解決手段】  外被部材２と内被部材３とからなる財布本体４を備えた財布１であって、該財布本体４の外被部材２と内被部材３との間に長尺の紙幣収納部６を形成し、該紙幣収納部６内の外被部材２側に非接触型ＩＣカード７を収納するＩＣカード収納ポケット８を設ける。財布は折り財布１とし、紙幣収納部６の長手方向の２箇所にＩＣカード収納ポケット８ａ，８ｂを設けることができる。【選択図】  図２
0003183327.tif 000002
【実用新案登録請求の範囲】
【請求項１】
外被部材と内被部材とからなる財布本体を備えた財布であって、該財布本体の外被部材と内被部材との間に長尺の紙幣収納部を形成し、該紙幣収納部内の外被部材側に非接触型ＩＣカードを収納するＩＣカード収納ポケットを設けたことを特徴とする財布。
【請求項２】
財布は折り財布とし、紙幣収納部の長手方向の２箇所にＩＣカード収納ポケットを設けた請求項１に記載の財布。
【請求項３】
財布は長財布とし、中央の折り曲げ部を挟んで両側に紙幣収納部を形成し、該紙幣収納部内のそれぞれにＩＣカード収納ポケットを設けた請求項１に記載の財布。
【考案の詳細な説明】
【技術分野】
【０００１】
本考案は、非接触型ＩＣカードを収納したまま使用できる財布に関する。
【背景技術】
【０００２】
電子マネー（非接触型ＩＣカード）は、近年、現金に代わるものとして普及が進んできている。ところで、従来の財布には、紙幣収納部、硬貨収納部の他に、クレジットカードやキャッシュカードなど各種のカードを収納するカード収納部を備えたものが周知である。非接触型ＩＣカードもこのカード収納部に収納して携帯するのが通常である。
そして、非接触型ＩＣカードを使用する際には、財布のカード収納部から非接触型ＩＣカードを取り出し、カード読み取り機にかざして決済する（支払う）。使用し終わった際には、再びカード収納部に戻す。このように、使用の都度、財布のカード収納部からＩＣカードを取り出し、また元に戻す作業を繰り返すのは、面倒である。
【０００３】
そこで、ＩＣカードの出し入れを繰り返す煩わしさを解消した財布として，特許文献１には、図６に示すように非接触型ＩＣカード収納部２０を折り財布２１の外側に設け、財布２１にＩＣカード２２を収納した状態で使用できるようにしたものが示されている。
【０００４】
しかし、このような財布の外側からＩＣカード２２を収納するタイプのものは、デザイン的に外部からＩＣカード２２が収納されていることが分かる。また、デザイン上の制約があり、スマートさに欠ける。さらに、外部にＩＣカード２２が露出していると、何かに引っかかったりしてカード挿入口２３からＩＣカード２２が抜け落ち紛失してしまうおそれがある。
【先行技術文献】
【特許文献】
【０００５】
【特許文献１】実用新案登録第３１７２３８６号公報
【考案の概要】
【考案が解決しようとする課題】
【０００６】
そこで、本考案は、非接触型ＩＣカードを収納したまま使用でき、デザイン上の制約がなく、非接触型ＩＣカードを落とす心配もない財布を提供することを目的とする。
【課題を解決するための手段】
【０００７】
上記の課題を解決するために、請求項１に係る考案は、外被部材と内被部材とからなる財布本体を備えた財布であって、該財布本体の外被部材と内被部材との間に長尺の紙幣収納部を形成し、該紙幣収納部内の外被部材側に非接触型ＩＣカードを収納するＩＣカード収納ポケットを設ける構成としたものである。
請求項２に係る考案は、財布は折り財布とし、紙幣収納部の長手方向の２箇所にＩＣカード収納ポケットを設けたものである。
請求項３に係る考案は、財布は長財布とし、中央の折り曲げ部を挟んで両側に紙幣収納部を形成し、該紙幣収納部内のそれぞれにＩＣカード収納ポケットを設けたものである。
【考案の効果】
【０００８】
請求項１に係る考案は、紙幣収納部内の外被部材側にＩＣカード収納ポケットを設けたので、非接触型ＩＣカードと財布の外側との間に紙幣やレシートが介在することがなく、ＩＣカードの情報の読み取りの妨げとなることがない。このため、非接触型ＩＣカードをＩＣカード収納ポケット内に収納したまま使用できる。また、外観上の制約なくデザインすることができる。さらに、非接触型ＩＣカードを落とす心配もない。
請求項２に係る考案は、折り財布において、紙幣収納部の長手方向の２箇所にＩＣカード収納ポケットを設けたので、２枚の非接触型ＩＣカードを使い分けることができる。
請求項３に係る考案によれば、長財布において、中央の折り曲げ部を挟んで両側に紙幣収納部を形成し、該紙幣収納部内のそれぞれにＩＣカード収納ポケットを設けたので、２枚の非接触型ＩＣカードを使い分けることができる。
【図面の簡単な説明】
【０００９】
【図１】本考案の第１実施例による折り財布を示す斜視図である。
【図２】第１実施例による折り財布の一部破断斜視図である。
【図３】本考案の第２実施例による長財布を示す斜視図である。
【図４】第２実施例による長財布の一部破断斜視図である。
【図５】第２実施例による長財布を２つ折りした状態の斜視図である。
【図６】従来例による財布の斜視図である。
【考案を実施するための形態】
【００１０】
以下、本考案の実施例を図面に基づいて具体的に説明する。図１及び図２に示す第１実施例による財布１は、長方形状の外被部材２と内被部材３とからなる財布本体４を備え、中央の折り曲げ部５で二つ折りできる折り財布であって、財布本体４の外被部材２と内被部材３との間に長尺の紙幣収納部６が形成されている。そして、該紙幣収納部６内の外被部材２側に非接触型ＩＣカード（電子マネー）７を収納するＩＣカード収納ポケット８を縫製して設けてある。
このＩＣカード収納ポケット８（８ａ，８ｂ）は、紙幣収納部６の長手方向の左右２箇所に設けてあり、ＩＣカード挿入口８ｆは、紙幣収納部６の開口部側（図１，図２において上部側）に設けてある。
【００１１】
一方、内被部材３には、中央の折り曲げ部５を挟んでその左部側にカード収納ポケット９を上下２箇所に設けてある。ここには、従来のキャッシュカードやクレジットカードなどを収納する。また、内被部材３の右部側には硬貨収納ポケット１０を設けてあり、硬貨を収納できるようになっている。
【００１２】
非接触型ＩＣカード（電子マネー）７を収納するＩＣカード収納ポケット８は紙幣収納部６内の外被部材２側に設けてあるので、紙幣収納部６に紙幣やレシート等を無造作に収納しても、ＩＣカード収納ポケット８内に収納した非接触型ＩＣカード７は、常に紙幣収納部６内の外側に配置されることになる。非接触型ＩＣカード７と財布１の外側との間に紙幣やレシートが介在することがなく、ＩＣカード７の情報の読み取りの妨げとなることがない。このため、非接触型ＩＣカード７をＩＣカード収納ポケット８内に収納したまま、財布１の外側を読み取り端末にかざせばＩＣカード７の情報が端末に読み取られて、支払いもチャージもできることになる。
このように非接触型ＩＣカード７をＩＣカード収納ポケット８内に収納したまま、支払いもチャージもできるので、非接触型ＩＣカード７を出し入れし易くする必要はない。従って、図６の従来例で示したように、財布の外側にカード挿入口を設ける必要もない。
【００１３】
また、ＩＣカード収納ポケット８は紙幣収納部６内に設けてあるので、財布１を二つ折りした状態で、ＩＣカード収納ポケット８が外部から見えることはない。このため、財布のデザインに何らの影響を与えることがなく、デザイン上の制約がない。また、ＩＣカード収納ポケット８内に収納した非接触型ＩＣカード７を紛失するおそれもない。
【００１４】
ＩＣカード収納ポケット８（８ａ，８ｂ）を、紙幣収納部６の長手方向の左右２箇所に設ければ、２枚の非接触型ＩＣカード７（７ａ，７ｂ）を使い分けることができる。
ここで、ＩＣカード収納ポケット８を電波遮蔽シ−トで形成する又はＩＣカード収納ポケット８内に電波遮蔽シ−トを介在させ、２枚の非接触型ＩＣカード７（７ａ，７ｂ）を重ねて使用した場合でも、２枚のＩＣカード間に電波遮蔽シ−トが介在するようにして、一方のＩＣカード７ａ使用時に他方のＩＣカード７ｂが干渉して読み取りエラーとならないようにするとよい。
【００１５】
次に、第２実施例による財布１１は、中央の折り曲げ部１５で二つ折りした際に長方形状となる（図５）長財布で、図３の展開状態に示すように、略正方形状の外被部材１２と中央の折り曲げ部１５を挟んで左右に対称に設けた上下方向に長い長方形状の内被部材１３（１３ａ，１３ｂ）とからなる財布本体１４を備えたものである。該財布本体１４の外被部材１２と左側の内被部材１３ａとの間及び財布本体１４の外被部材１２と右側の内被部材１３ｂとの間に、それぞれ縦長の紙幣収納部１６，１６が形成されている。そして、左右の紙幣収納部１６，１６内であって、外被部材１２側のそれぞれに非接触型ＩＣカード（電子マネー）１７（１７ａ，１７ｂ）を収納するＩＣカード収納ポケット１８（１８ａ，１８ｂ）を設けてある。ＩＣカード挿入口１８ｆは、紙幣収納部１６の開口部側（中央部側）に設けてある。
【００１６】
一方、内被部材１３（１３ａ，１３ｂ）側には、左右のそれぞれに、カード収納ポケット１９を上下に４箇所づつ、計８箇所に設けてある。ここには、従来のキャッシュカードやクレジットカードなどを収納する。なお、内被部材１３（１３ａ，１３ｂ）側の左右のいずれか又は一部にカード収納ポケット１９に替えて硬貨収納ポケットを設けるようにしてもよい。
【００１７】
この第２実施例による長財布１１の場合も、非接触型ＩＣカード（電子マネー）１７を収納するＩＣカード収納ポケット１８は紙幣収納部１６内の外被部材１２側に設けてあるので、第１実施例と同様、紙幣収納部１６に紙幣やレシート等を無造作に収納しても、ＩＣカード収納ポケット１８内に収納した非接触型ＩＣカード１７は、常に紙幣収納部１６内の外側に配置されることになる。非接触型ＩＣカード１７と財布１１の外側との間に紙幣やレシートが介在することがなく、ＩＣカード１７の情報の読み取りの妨げとなることがない。このため、非接触型ＩＣカード１７をＩＣカード収納ポケット１８内に収納したまま、財布１１の外側を読み取り端末にかざせばＩＣカード１７の情報が端末に読み取られて、支払いもチャージもできることになる。
このように、非接触型ＩＣカード１７をＩＣカード収納ポケット１８内に収納したまま、支払いもチャージもできるので、非接触型ＩＣカード１７を出し入れし易くする必要はない。従って、図６の従来例で示したように、財布の外側にカード挿入口を設ける必要もない。
【００１８】
この第２実施例による長財布１１によれば、左右のＩＣカード収納ポケット１８（１８ａ，１８ｂ）に２枚のＩＣカード１７（１７ａ，１７ｂ）を使い分けることができる。
この場合も、第１実施例と同様、ＩＣカード収納ポケット１８を電波遮蔽シ−トで形成する又はＩＣカード収納ポケット１８内に電波遮蔽シ−トを介在させ、２枚の非接触型ＩＣカード１７（１７ａ，１７ｂ）を重ねて使用した場合でも、２枚のＩＣカード間に電波遮蔽シ−トが介在するようにして、一方のＩＣカード１７ａ使用時に他方のＩＣカード１７ｂが干渉して読み取りエラーとならないようにするとよい。
【００１９】
この第２実施例による長財布１１の場合も、ＩＣカード収納ポケット１８は紙幣収納部１６内に設けてあるので、第１実施例による折り財布１と同様、財布１１を二つ折りにした状態で、ＩＣカード収納ポケット１８が外部から見えることはない。このため、財布のデザインに何らの影響を与えることがなく、デザイン上の制約がない。また、ＩＣカード収納ポケット１８内に収納した非接触型ＩＣカード１７を紛失するおそれもない。
【符号の説明】
【００２０】
１  財布（折り財布）
２  外被部材
３  内被部材
４  財布本体
５  折り曲げ部
６  紙幣収納部
７（７ａ，７ｂ）  非接触型ＩＣカード（電子マネー）
８（８ａ，８ｂ）  ＩＣカード収納ポケット
８ｆ  ＩＣカード挿入口
９  カード収納ポケット
１０  硬貨収納ポケット
１１  財布（長財布）
１２  外被部材
１３  内被部材
１４  財布本体
１５  折り曲げ部
１６  紙幣収納部
１７（１７ａ，１７ｂ）  非接触型ＩＣカード（電子マネー）
１８（１８ａ，１８ｂ）  ＩＣカード収納ポケット
１８ｆ  ＩＣカード挿入口
１９  カード収納ポケット
【図１】
0003183327.tif 000003
【図２】
0003183327.tif 000004
【図３】
0003183327.tif 000005
【図４】
0003183327.tif 000006
【図５】
0003183327.tif 000007
【図６】
0003183327.tif 000008